(57)【特許請求の範囲】
【請求項１】
筆記媒体が収容された外筒と、棒状物繰り出し容器とを備えた棒状物繰り出し容器付き筆記具において、
前記筆記具はシャープペンシルであり、外筒内に挿設され後方に付勢された芯送り出し機構と、外筒の前部側面に形成された開口部に取り付けられ、前記芯送り出し機構を駆動可能な作動部材とを備え、
外筒の後端部にクリップ部材が装着されており、前記クリップ部材は、外筒外部において外筒に沿って伸びるクリップ部と、外筒内部に配設される内筒部とを一体的に有しており、
前記棒状物繰り出し容器は、内面に螺旋溝を設けた筒状体と、筒状体に軸方向移動不能で相対回転自在に嵌挿されると共に軸方向に伸びる案内孔を備えた案内筒と、前記案内孔を通して前記螺旋溝に嵌合する突起を側面に有し棒状物を保持するホルダと、を備え、
前記案内筒の先端が、前記クリップ部材の内筒部に相対回転不能に連結される、ことを特徴とする棒状物繰り出し容器付き筆記具。
【請求項２】
前記案内筒の先端はクリップ部材の内筒部に軸方向に着脱可能に連結され、前記芯送り出し機構は軸線方向に伸びた芯通路部を有し、該芯通路部の後部に前記外筒の内径とほぼ等しい外径を有する大径部を有してなることを特徴とする請求項１記載の棒状物繰り出し容器付き筆記具。
【請求項３】
前記大径部が芯を受けて芯通路部へと案内するための案内手段を有していることを特徴とする請求項２記載の棒状物繰り出し容器付き筆記具。
【請求項４】
前記案内手段が前記大径部の内面に形成されたテーパー部を有していることを特徴とする請求項３記載の棒状物繰り出し容器付き筆記具。
【請求項５】
前記芯通路部が芯貯蔵タンクをも兼ねていることを特徴とする請求項２ないし４のいずれかに記載の棒状物繰り出し容器付き筆記具。
【請求項６】
前記芯送り出し機構は、さらに、前記作動部材によって駆動される被駆動部を有していることを特徴とする請求項１〜５のいずれかに記載の棒状物繰り出し容器付き筆記具。
【請求項７】
筆記媒体が収容された外筒と、棒状物繰り出し容器とを備えた棒状物繰り出し容器付き筆記具において、
前記筆記具はボールペンであり、外筒前部内に収設され、カム本体，カムバー及びこのカムバーに噛合する回転カムとからなるレフィール送り出し機構と、後方へ付勢され前記回転カム及びカムバーを挿通するレフィールと、外筒の前部側面に形成された開口部に取り付けられ、前記レフィール送り出し機構を駆動可能な作動部材とを備え、
外筒の後端部にクリップ部材が装着されており、前記クリップ部材は、外筒外部において外筒に沿って伸びるクリップ部と、外筒内部に配設される内筒部とを一体的に有しており、
前記棒状物繰り出し容器は、内面に螺旋溝を設けた筒状体と、筒状体に軸方向移動不能で相対回転自在に嵌挿されると共に軸方向に伸びる案内孔を備えた案内筒と、前記案内孔を通して前記螺旋溝に嵌合する突起を側面に有し棒状物を保持するホルダと、を備え、
前記案内筒の先端が、前記クリップ部材の内筒部に相対回転不能に連結される、ことを特徴とする棒状物繰り出し容器付き筆記具。
【発明の詳細な説明】
【０００１】
【発明の属する技術分野】
本発明は、棒状物繰り出し容器付き筆記具に関し、特に、部品点数の低減をはかることができる棒状物繰り出し容器付き筆記具に関する。
【０００２】
【従来の技術】
従来、棒状物繰り出し容器付き筆記具としては、例えば本願出願人提案の実願平５−１８３４３号の実施例においてシャープペンシルに適用したものが記載されている。
図３にこのシャープペンシルの縦断面図を示す。このシャープペンシルでは、外筒１内に受台２が外筒１に対して相対回転不能で軸方向に移動可能に配設されており、受台２の前部には芯送り出し機構３の芯タンク３ａの後端が挿入されて、受台２の後部には棒状物繰り出し容器１０の案内筒１４の先端が受台２に対して相対回転不能に且つ軸方向に着脱可能に連結されている。棒状物繰り出し容器１０は、内面に螺旋溝１２ａを設けた筒状体１２と、筒状体１２に軸方向移動不能で相対回転自在に嵌挿されると共に軸方向に伸びる案内孔１４ａ、１４ａを備えた案内筒１４と、前記案内孔１４ａ、１４ａを通って前記螺旋溝１２ａに嵌合する突起１６ａ、１６ａを側面に有し棒状物３０を保持するホルダ１６とを備えている。
【０００３】
尚、６は、外筒１の後端部外周面に固定されたクリップである。
【０００４】
以上のように構成されたシャープペンシルにおいて、棒状物３０を繰り出す時には、筒状体１２に対して外筒１を回転すると、外筒１は受台２を介して案内筒１４と回り止めされているため、筒状体１２に対して案内筒１４が回転し、ホルダ１６が螺旋溝１２ａに沿いつつ案内孔１４ａに案内されて軸方向に移動し、棒状物３０が回転方向に応じて棒状物繰り出し容器１０の頭部の先端より出没することになる。
【０００５】
また、筆記の際にシャープペンシルの芯を前進させるときには、棒状物繰り出し容器１０をその後端からノックをすることにより、案内筒１４に連結された受台２を介して芯タンク３ａが前方へ押し出されて芯を所定長さずつ送り出すことができる。
【０００６】
【発明が解決しようとする課題】
しかしながら、上記従来の筆記具では、クリップ６や受台２の部品がそれぞれ別々に必要であるため、部品点数が多く、そのため製造コストが高くなるという問題がある。
【０００７】
本発明は、かかる問題点に鑑みなされたもので、請求項１ないし請求項７記載の発明は、部品点数を少なくし製造コストを低減することができる棒状物繰り出し容器付き筆記具を提供することを目的とする。
【０００８】
【課題を解決するための手段】
上記目的を達成するために、本発明のうち請求項１記載の発明は、筆記媒体が収容された外筒と、棒状物繰り出し容器を備えた棒状物繰り出し容器付き筆記具において、
前記筆記具はシャープペンシルであり、外筒内に挿設され後方に付勢された芯送り出し機構と、外筒の前部側面に形成された開口部に取り付けられ、前記芯送り出し機構を駆動可能な作動部材とを備え、
外筒の後端部にクリップ部材が装着されており、前記クリップ部材は、外筒外部において外筒に沿って伸びるクリップ部と、外筒内部に配設される内筒部とを一体的に有しており、
前記棒状物繰り出し容器は、内面に螺旋溝を設けた筒状体と、筒状体に軸方向移動不能で相対回転自在に嵌挿されると共に軸方向に伸びる案内孔を備えた案内筒と、前記案内孔を通して前記螺旋溝に嵌合する突起を側面に有し棒状物を保持するホルダと、を備え、
前記案内筒の先端が、前記クリップ部材の内筒部に相対回転不能に連結される、ことを特徴とする。
【０００９】
本発明は筆記具として、シャープペンシル、ボールペン、サインペンまたはマーカーペン、フェルトペン等に適用することができ、筆記媒体として、芯、インキが収容されたレフィール若しくはインキが浸込まれたフェルトまたは樹脂等に適用することができる。さらに、筆記媒体を筆記具の先端より出没自在で送り出し機構を有するタイプの筆記具、またはかかる送り出し機構を有さず常時筆記媒体が筆記具の先端より突出したタイプの筆記具のいずれにも請求項１記載の発明を適用することができる。
【００１０】
また、本発明は棒状物として、消しゴム、修正棒、筆記芯、蛍光芯、アイブロー芯、棒状糊等に適用することができる。
【００１１】
また、請求項２記載の発明は、請求項１記載のものにおいて、前記案内筒の先端はクリップ部材の内筒部に軸方向に着脱可能に連結され、前記芯送り出し機構は軸線方向に伸びた芯通路部を有し、該芯通路部の後部に前記外筒の内径とほぼ等しい外径を有する大径部を有してなることを特徴とする。
また、請求項３記載の発明は、請求項２記載のものにおいて、前記大径部が芯を受けて芯通路部へと案内するための案内手段を有していることを特徴とする。
【００１２】
また、請求項４記載の発明は、請求項３記載のものにおいて、前記案内手段が前記大径部の内面に形成されたテーパー部を有していることを特徴とする。
また、請求項５記載の発明は、請求項２ないし４のいずれかに記載のものにおいて、前記芯通路部が芯貯蔵タンクをも兼ねていることを特徴とする。
また、請求項６記載の発明は、請求項１〜５のいずれかに記載のものにおいて、前記芯送り出し機構は、さらに、前記作動部材によって駆動される被駆動部を有していることを特徴とする。
【００１３】
また、請求項７記載の発明は、筆記媒体が収容された外筒と、棒状物繰り出し容器とを備えた棒状物繰り出し容器付き筆記具において、
前記筆記具はボールペンであり、外筒前部内に収設され、カム本体，カムバー及びこのカムバーに噛合する回転カムとからなるレフィール送り出し機構と、後方へ付勢され前記回転カム及びカムバーを挿通するレフィールと、外筒の前部側面に形成された開口部に取り付けられ、前記レフィール送り出し機構を駆動可能な作動部材とを備え、
外筒の後端部にクリップ部材が装着されており、前記クリップ部材は、外筒外部において外筒に沿って伸びるクリップ部と、外筒内部に配設される内筒部とを一体的に有しており、
前記棒状物繰り出し容器は、内面に螺旋溝を設けた筒状体と、筒状体に軸方向移動不能で相対回転自在に嵌挿されると共に軸方向に伸びる案内孔を備えた案内筒と、前記案内孔を通して前記螺旋溝に嵌合する突起を側面に有し棒状物を保持するホルダと、を備え、
前記案内筒の先端が、前記クリップ部材の内筒部に相対回転不能に連結される、ことを特徴とする。
【００１４】
クリップ部材は、従来の筆記具のクリップと、棒状物繰り出し容器を受ける受台としての役割を兼ね備えているために、クリップ部材を設けることによって、部品点数が少なくて済み、また組立も容易に行うことができる。
【００１５】
【発明の実施の形態】
以下、図面を用いて本発明の実施の形態を説明する。図１は、本発明の棒状物繰り出し容器付き筆記具として、シャープペンシルに適用した場合の実施の形態を表す縦断面図である。
図において、１は外筒であり、外筒１は、外筒本体１ａと外筒本体１ａの先端に螺着される先具１ｂとから構成される。先具１ｂ内には先スライダ８と先スライダ８に結合される芯パイプ９とが設けられている。
【００１６】
外筒１内には芯送り出し機構１３が挿設される。芯送り出し機構１３は、その軸線方向に伸びてその中心孔が芯通路となった芯通路部１３ａと、芯通路部１３ａの前部に固定されたチャック１３ｂと、チャック１３ｂの外側に嵌装されたチャックリング１３ｃと、このチャックリング１３ｃの後端に当接するチャックリング受けスリーブ１３ｄと、このチャックリング受けスリーブ１３ｄと芯通路部１３ａとの間に介挿されたチャックスプリング１３ｅと、チャックリング受けスリーブ１３ｄと外筒１内部の段部との間に介挿されるクッションスプリング１３ｆとよりなり、芯送り出し機構１３はチャックスプリング１３ｅによって後方に付勢される。芯通路部１３ａの中央部には外径が大きくなった被駆動部１３ｇが設けられている。また、芯通路部１３ａの後端部にも外径が大きくなった大径部１３ｉが設けられており、大径部１３ｉの外径は外筒１の内径とほぼ等しい寸法となっており、大径部１３ｉと外筒１との間の径方向の隙間がほとんどなく、あったとしても芯の芯径に比較して小さくなるように設定されている。また、大径部１３ｉの内面は、後方に向けて内径寸法が大きくなったテーパー部１３ｈ（案内手段）となっており、芯通路部１３ａと該芯通路部１３ａより後方の外筒１の内部の両方で、予備の芯が貯蔵される芯貯蔵タンクとなっている。大径部１３ｉと外筒１との間の径方向の隙間が芯径に比較して小さくなるように設定されているため、後方から挿入された芯が外筒１と芯送り出し機構１３との間の径方向の隙間にはまらないようにすることができ、さらに、このテーパー部１３ｈによって、後方から挿入された芯が円滑に芯通路部１３ａ内へ案内される構造となっている。
【００１７】
外筒１の前部側面には開口部１ｃが形成されており、開口部１ｃの後端部には作動部材４が揺動可能に取り付けられている。作動部材４は、芯通路部１３ａを跨ぐことができるよう横断面がコ字状または弧状の部分４ａを備えており、作動部材４は、外筒１内方に進入したときに、芯送り出し機構１３の被駆動部１３ｇと干渉し、被駆動部１３ｇを前進させる。従って、作動部材４の進入に応じて芯送り出し機構１３は前進駆動される。
【００１８】
外筒１の後端部にはクリップ部材２０が装着される。クリップ部材２０は、外筒１外部において外筒に沿って伸びるクリップ部２０ａと、外筒１後端外周面の回りに配設される外筒部２０ｂと、外筒１内部に配設される内筒部２０ｃとからなる一体成形品であり、外筒部２０ｂの内周にある凸部２０ｄを外筒１の後端外周面に形成された溝１ｄに圧入することで、クリップ部材２０は外筒１に一体的に結合される。内筒部２０ｃの前部内周面には、複数のキー溝２０ｅが形成されると共に、内方に突出した小突起２０ｆが形成されている。さらに、内筒部の前端部内周面は、前方へ広がった、即ち前方に向けて内径寸法が大きくなったテーパー部２０ｇになっており、芯を前方へ円滑に誘導することができる。
【００１９】
さらに、クリップ部材２０に着脱可能に棒状物繰り出し容器１１が挿入される。
棒状物繰り出し容器１１は、内面に螺旋溝１２ａを設けた筒状体１２と、筒状体１２に軸方向移動不能で相対回転自在に嵌挿されると共に軸方向に伸びる案内孔１４ａ、１４ａを備えた案内筒１４と、前記案内孔１４ａ、１４ａを通って前記螺旋溝１２ａに嵌合する突起１６ａ、１６ａを側面に有し棒状物３０を保持するホルダ１６とを備えている。
【００２０】
案内筒１４の前端外周面には、複数のキー１４ｂが形成されると共に小突起１４ｃが形成されており、キー１４ｂは前述の内筒部２０ｃのキー溝２０ｅに嵌入され、また、小突起１４ｃは前述の内筒部２０ｃの小突起２０ｆを乗り越えて軽く係止される。こうして、案内筒１４は、クリップ部材２０に対して相対回転不能に且つ軸方向に着脱可能に連結される。
【００２１】
以上のシャープペンシルを組み立てる際には、まず外筒本体１ａ内に前方から芯送り出し機構１３を挿入した後、先具１ｂを外筒本体１ａに螺着する。その後、作動部材４を外筒１に取り付け、クリップ部材２０を外筒本体１ａの後端に装着する。そして、棒状物繰り出し容器１１をクリップ部材２０に挿入して、完成する。
【００２２】
以上のように組み立てられたシャープペンシルを使用する際には、使用者が外筒１を握った状態で、作動部材４を指で押して揺動させると、作動部材４が被駆動部１３ｇを前進させる。すると、チャック１３ｂがチャックスプリング１３ｅに抗して前進しチャック１３ｂを開き、公知の芯送り出し機構と同じくチャック１３ｂから芯を所定長さずつ繰り出して先具１ｂ先端にある先スライダ８より芯を繰り出すことができる。
【００２３】
棒状物繰り出し容器１１の棒状物３０を繰り出すときには、筒状体１２に対して外筒１またはクリップ部材２０を回転する。外筒１及びクリップ部材２０は、案内筒１４と回り止めされているため、筒状体１２に対して案内筒１４が回転し、ホルダ１６が螺旋溝１２ａに沿いつつ案内孔１４ａに案内されて軸方向に移動し、ホルダ１６に保持された棒状物３０（例えば、消しゴム）が回転方向に応じて棒状物繰り出し容器１１の頭部の先端より出没することになる。
【００２４】
また、芯を補充する際には、棒状物繰り出し容器１１をクリップ部材２０から引き抜くと、小突起１４ｃと小突起２０ｆが軽く係止されているので、これらの係止が外れ棒状物繰り出し容器１１を簡単に引き抜くことができる。従って、その後に、芯をクリップ部材２０の内筒部２０ｃの中へ挿入することが可能になる。挿入された芯は、芯通路部１３ａの大径部１３ｉに受けとめられてテーパー部１３ｈによって芯通路部１３ａの芯通路内に円滑に誘導される。
【００２５】
このように、本願発明では、一体成形されるクリップ部材２０を設けることにより、クリップ部材２０が、従来のクリップと棒状物繰り出し容器１１の受け部材との両方の役割を兼ね備えるために、部品点数が少なくて済み、また組立も容易に行うことができる。
尚、作動部材４としては、本例のように揺動動作するものの他、外筒１に沿って摺動動作することによって、芯送り出し機構１３を前進させるタイプのものも適用することができる。
【００２６】
次に、本発明の棒状物繰り出し容器付き筆記具として、ボールペンに適用した場合の実施の形態の縦断面図を図２に示す。
図において、３１は外筒であり、外筒３１は、外筒本体３１ａと外筒本体３１ａの先端に螺着される先具３１ｂとから構成される。
外筒３１前部内にはレフィール送り出し機構３３が収設されており、レフィール送り出し機構３３は、公知の回転カム機構であり、カム本体３４，カムバー３５及びこのカムバー３５に噛合する回転カム３６とから構成される。
【００２７】
カム本体３４の前端外フランジ３４ａは、外筒本体３１ａの先端に固着され、かつカム本体３４の後端内フランジ３４ｂは、カムバー３５の後方への抜出を阻止している。インキが内部に収容されたレフィール３８は、回転カム３６及びカムバー３５の貫通孔３６ａ、３５ａに挿通されており、先具３１ｂとレフィール３８の受部３８ａとの間に介挿されたバネ３９によって後方へ付勢されている。
【００２８】
外筒３１の前部側面には開口部３１ｃが形成されており、開口部３１ｃには、作動部材４０が開口部３１ｃに対して摺動可能に取り付けられている。作動部材４０は、カムバー３５の外周面に係止されたリング部４０ａを備えており、作動部材４０を開口部３１ｃに沿って前進させると、カムバー３５が一緒に前進駆動される。
【００２９】
外筒３１の後端部には第１の実施の形態と同じクリップ部材２０が装着されて、その外筒部２０ｂの内周にある凸部２０ｄが外筒３１の後端外周面に形成された溝３１ｄに圧入することで、クリップ部材２０は外筒３１に一体的に結合される。また、第１の実施の形態と同様に、クリップ部材２０に着脱可能に棒状物繰り出し容器１１が挿入されており、クリップ部材２０の内筒部２０ｃのキー溝２０ｅに、棒状物繰り出し容器１１のキー１４ｂが嵌入され、また、案内筒１４の小突起１４ｃは内筒部２０ｃの小突起２０ｆを乗り越えて軽く係止される。こうして、案内筒１４は、クリップ部材２０に対して相対回転不能に且つ軸方向に着脱可能に連結される。但し、本実施の形態の場合には、第１の実施の形態のような後方から芯の補充を行う必要がないので、必ずしも棒状物繰り出し容器１１が着脱可能である必要はなく、案内筒１４を圧入または接着等によりクリップ部材２０に完全に固定してもかまわない。
【００３０】
また、クリップ部材２０の内筒部２０ｃのテーパー部２０ｇも必要ないが、第１の実施の形態のシャープペンシルと第２の実施の形態のボールペンとで、クリップ部材２０及び棒状物繰り出し容器１１を共通して使用し、これら部品に互換性を持たせたい場合には、これらの実施の形態で同じ部品とすることが望ましい。
【００３１】
以上のボールペンを組み立てる際には、まず外筒本体３１ａ前部内にカム本体３４を嵌挿し、次に作動部材４０のリング部４０ａを外筒３１の軸方向に平行にした状態で開口部３１ｃより挿入した後、９０度回転して、リング部４０ａが外筒３１内でその軸方向に直交するようにする。しかる後、カムバー３５及び回転カム３６を前方より入れてカムバー３５の後部をリング部４０ａに挿入し、次いでレフィール３８を回転カム３６及びカムバー３５の貫通孔３６ａ、３５ａに挿通し、バネ３９をレフィール３８の先端から挿入して先具３１ｂを外筒本体３１ａに螺着する。さらに、クリップ部材２０を外筒本体３１ａの後端に装着して、棒状物繰り出し容器１１をクリップ部材２０に挿入して、完成する。
【００３２】
以上のように組み立てられたボールペンを使用する際には、使用者が外筒３１を握った状態で、作動部材４０を指で押して前方へ摺動させると、リング部４０ａがバネ３９に抗してカムバー３５を押すことになり、カムバー３５に噛合される回転カム３６が所要角度回転してカム本体３４に係合し、先具３１ｂよりレフィール３８の先端が突出する状態に維持され、筆記することができる。
【００３３】
作動部材４０を再度前方へ摺動させると、再び、リング部４０ａを介してカムバー３５が前方へ押され、これによって回転カム３６とカム本体３４との係合が外れ、回転カム３６，カムバー３５及びレフィール３８がバネ３９のバネ力により後方へ移動し、先具３１ｂよりレフィール３８の先端が引っ込むことになる。また、棒状物繰り出し容器１１の棒状物３０の繰り出しについては、第１の実施の形態と同様であるため、その説明を省略する。
【００３４】
また、レフィール３８を交換する場合には、先具３１ｂを外筒本体３１ａから外し、使用済みレフィール３８をバネ３９と共に取り出し、新しいレフィール３８を回転カム３６及びカムバー３５の貫通孔３６ａ、３５ａに挿通し、バネ３９をレフィール３８の先端から挿入して先具３１ｂを外筒本体３１ａに螺着することで交換作業が終了する。この交換作業の際に、回転カム３６がカムバー３５から脱落しないように、カムバー３５に対する回転カム３６の所定量以上の前方変位を制限する制限部材をカムバー３５及び／または回転カム３６に設けることが望ましい。
【００３５】
以上の実施の形態では、筆記媒体としての芯またはレフィールがそれぞれ芯送り出し機構またはレフィール送り出し機構によって筆記具の先端より出没できる構造のものについて説明したが、これに限るものではなく、出没せずに常時筆記媒体の先端が筆記具の先端より突出したままの筆記具についても同様に適用できる。
【００３６】
【発明の効果】
以上説明したように、請求項１記載の発明によれば、外筒の側面に形成された開口部に取り付けられた作動部材を操作することにより芯を前進させることができるシャープペンシルに、棒状物繰り出し容器を備えることができる。
また、クリップ部材を設けることによって、クリップ部材は、従来の筆記具のクリップと、棒状物繰り出し容器を受ける受台としての役割を兼ね備えているために、部品点数が少なくて済み、また組立も容易に行うことができる。
【００３７】
また、請求項２記載の発明によれば、案内筒の先端がクリップ部材の内筒部内に軸方向に着脱可能に連結されるために、棒状物繰り出し容器をクリップ部材から取り外すことができる。そして、芯をクリップ部材の後方から補充することができるようになる。このときに、芯送り出し機構の芯通路部の後部に前記外筒の内径とほぼ等しい外径を有する大径部を有していることから、後方から補充された芯が、芯送り出し機構と外筒との間にはさまって破損することを回避できる。
【００３８】
また、請求項３記載の発明によれば、案内手段を有していることから、円滑に芯が芯通路部へと案内される。
また、請求項４記載の発明によれば、案内手段がテーパー部であるため、円滑に芯が芯通路部へと案内される。
また、請求項５記載の発明によれば、芯通路部が芯貯蔵タンクをも兼ねることができる。
【００３９】
また、請求項６記載の発明によれば、芯送り出し機構が作動部材によって駆動される被駆動部を有していることから、作動部材を作動させたときに、被駆動部を介して芯送り出し機構が確実に駆動される。
また、請求項７記載の発明によれば、外筒の側面に形成された開口部に取り付けられた作動部材を操作することによりレフィールを出没させることができるボールペンに、棒状物繰り出し容器を備えることができる。
また、クリップ部材を設けることによって、クリップ部材は、従来の筆記具のクリップと、棒状物繰り出し容器を受ける受台としての役割を兼ね備えているために、部品点数が少なくて済み、また組立も容易に行うことができる。
【図面の簡単な説明】
【図１】本発明の棒状物繰り出し容器付きシャープペンシルの縦断面図である。
【図２】本発明の棒状物繰り出し容器付きボールペンの縦断面図である。
【図３】従来の棒状物繰り出し容器付きシャープペンシルの縦断面図である。
【符号の説明】
１      外筒
１ｃ    開口部
１３    芯送り出し機構
１３ａ  芯通路部
１３ｇ  被駆動部
１３ｈ  テーパー部（案内手段）
１３ｉ  大径部
４      作動部材
１１    棒状物繰り出し容器
１２    筒状体
１２ａ  螺旋溝
１４    案内筒
１４ａ  案内孔
１６    ホルダ
１６ａ  突起
２０    クリップ部材
２０ａ  クリップ部
２０ｃ  内筒部
３０    棒状物
３１    外筒
３１ｃ  開口部
３３    レフィール送り出し機構
３４    カム本体
３５    カムバー
３６    回転カム
４０    作動部材
【図１】
0003553297.tif 000002
【図２】
0003553297.tif 000003
【図３】
0003553297.tif 000004